(57)【特許請求の範囲】
【請求項１】
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口及び左右一対のレッグ開口が形成され、
前記後身頃の外装シートにおける臀裂対向部の幅方向両側の部分が、前記内装体に固定された内装体固定領域と、この内装体固定領域の側縁より側方に延出する側方延出部分とを有している、パンツタイプ使い捨ておむつにおいて、
前記臀裂対向部を横切って全体が幅方向に延在する細長状の臀裂部幅方向弾性部材が、前記外装シートに固定されており、
前記臀裂対向部は前記臀裂部幅方向弾性部材とともに幅方向に伸縮可能であり、
前記臀裂対向部の側方に隣接する部位が、前記臀裂部幅方向弾性部材が細かく切断された、収縮力が作用しない非収縮部分とされるとともに、この非収縮部分より側方全体が前記臀裂部幅方向弾性部材の非存在部分とされている、
ことを特徴とするパンツタイプ使い捨ておむつ。
【請求項２】
前記外装シートは、外側層と内側層とを貼り合わせてなり、
前記臀裂部幅方向弾性部材は、前記外側層と内側層との間に挟まれかつホットメルト接着剤により外側層及び内側層に固定されており、
前記臀裂部幅方向弾性部材の固定のためのホットメルト接着剤の塗布量は、前記臀裂部幅方向弾性部材の存在部分よりも前記臀裂部幅方向弾性部材の非存在部分の方が少ない、
請求項１記載のパンツタイプ使い捨ておむつ。
【請求項３】
後身頃の右のサイドシール部から後身頃の右のレッグ開口縁に沿って前側に向かいつつ左側に向かうように湾曲して後身頃の幅方向中央部に位置する臀裂対向部に至り、臀裂対向部において後側に折り返され、更に左側に向かいつつ後側に向かうように湾曲して後身頃の左のレッグ開口縁に沿って後身頃の左のサイドシール部に至る；細長状の背側湾曲弾性部材が、前記外装シートに固定されており、
前記外装シートにおける前記背側湾曲弾性部材を有する部分は、前記背側湾曲弾性部材とともに、前記背側湾曲弾性部材の長手方向に伸縮可能であり、
前記背側湾曲弾性部材も前記非収縮部分で細かく切断された部分を有しており、
前記背側湾曲弾性部材及び臀裂部幅方向弾性部材は間隔空けて複数本設けられるとともに、少なくとも一本の背側湾曲弾性部材が前記臀裂部幅方向弾性部材の非存在部を通り前記非収縮部分まで連続するように構成されている、請求項１又は２記載のパンツタイプ使い捨ておむつ。
【請求項４】
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口及び左右一対のレッグ開口が形成され、
前記レッグ開口と対応する縦方向範囲では、外装シートにおける幅方向両側の部分が、前記内装体の側部と重なる側部重なり部分と、前記内装体の側縁より側方に延出する側方延出部分とを有しており、かつこの側方延出部分の側縁により前記レッグ開口の縁部が形成されており、
前記外装シートにおける前記レッグ開口と対応する縦方向範囲に、幅方向中間の所定部位を横切って幅方向に延在する細長状の幅方向弾性部材がその延在方向に所定の伸長率で伸長された状態で固定されており、
前記所定部位の側方に隣接する部位で前記幅方向弾性部材が細かく切断されて収縮力が作用しない非収縮部分が形成されるとともに、この非収縮部分より側方全体が前記幅方向弾性部材の非存在部分とされている、
パンツタイプ使い捨ておむつの製造方法において、
連続帯状の外側層及び連続帯状の内側層をその連続方向に沿って移送しつつ貼り合わせるとともに、これら外側層及び内側層間に移送方向に沿って前記幅方向弾性部材を前記伸長状態で挟むともに外側層及び内側層に対してホットメルト接着剤で固定することにより、前記外装シートとなる連続帯状体を形成する外装シート組立工程と、
この外装シートとなる連続帯状体において、前記移送方向に所定の間隔を空けて、前記レッグ開口となる部分を切除するレッグ開口切除工程と、
前記外装シート組立工程で、前記幅方向弾性部材の非存在部分となる領域及びレッグ開口となる部分の側部領域における、前記幅方向弾性部材を固定するためのホットメルト接着剤の塗布量を、他の領域よりも少なくし、
前記外装シート組立工程の後であって前記レッグ開口切除工程よりも前に、前記非収縮部分となる領域で前記幅方向弾性部材を細かく切断することにより、前記幅方向弾性部材の非存在部分となる領域及びレッグ開口となる部分の側部領域に位置する幅方向弾性部材を収縮させて前記レッグ開口となる部分に引き込ませ、
前記レッグ開口切除工程で、前記幅方向弾性部材を引き込んだレッグ開口となる部分を切除する、
ことを特徴とするパンツタイプ使い捨ておむつの製造方法。
【請求項５】
前記所定部位が臀裂対向部であり、前記幅方向弾性部材が前記臀裂対向部を横切って幅方向に延在する臀裂部幅方向弾性部材である、請求項４記載のパンツタイプ使い捨ておむつの製造方法。
【発明の詳細な説明】
【技術分野】
【０００１】
本発明は、臀裂部幅方向弾性伸縮部材により臀裂に対するフィット性を向上させつつ、後身頃におけるレッグ開口の縁部の幅方向収縮を防止した、パンツタイプ使い捨ておむつ及びその製造方法に関する。
【背景技術】
【０００２】
パンツタイプ使い捨ておむつは、前身頃及び後身頃を有する外装シートと、この外装シートの内面に固定された、吸収体を含む内装体とを備え、前記外装シートの前身頃と後身頃とが両側部において接合されることにより、ウエスト開口及び左右一対のレッグ（脚）開口が形成されているものである。
【０００３】
パンツタイプ使い捨ておむつにおいては、身体へのフィット性を向上させるために、外装シートに、種々の弾性部材を伸長状態で固定することが行われており（例えば特許文献１〜７参照）、中でも、ウエスト部弾性部材、腰回り弾性部材及び湾曲弾性部材を備えているもの（特許文献６記載に代表される）は、比較的に身体に対するフィット性が高いものとなっている。ここに、ウエスト部弾性部材は、ウエスト開口の縁部に、縦方向に間隔を空けて幅方向に沿って複数本平行に配置されているものである。また、腰回り弾性部材は、ウエスト部弾性部材よりも前後方向中央部側の領域に、縦方向に間隔を空けて幅方向に沿って配置されているものである。さらに、湾曲弾性部材は、前身頃及び後身頃の少なくとも一方の両側部から、幅方向中央に向かうにつれて反対の身頃側へ向かうように湾曲しつつ延在するものである。
【０００４】
しかしながら、従来の一般的なパンツタイプ使い捨ておむつにおいては、普通の下着と違って股間部がモコモコするという問題点があった。そして、本発明者らの研究によれば、この問題点の原因の一つは、臀裂から股間にかけての部分において吸収体が身体から浮くこと、つまり当該部位におけるフィット性が不十分であることであった。
【０００５】
この問題点に対して、臀裂のフィット性を改善するものとしては、後身頃の湾曲弾性部材を股間横断部においてウエスト開口側に凸状に突出する配置としたもの等、種々の形態が提案されている（例えば、特許文献８，９参照）が、おむつ内面は臀裂にフィットする形状となるものの、フィットした状態に維持され難いという問題点の他、製造において弾性部材を取り付ける際、弾性部材の向きを急角度に変化させる必要があり、高速ラインによる製造が困難であるという問題点もあった。
【０００６】
さらに、この問題点を解決するものとして、図１３に示すように、後身頃Ｂにおける外装シート２０に、両側部からレッグ開口縁２９に沿って前身頃Ｆ側へ向かうように湾曲しつつ延在する細長状の背側湾曲弾性部材２６を、その延在方向に伸長した状態で固定するとともに、後身頃Ｂにおける臀裂対向部を幅方向に横切って延在する細長状の弾性部材を設け、この臀裂部幅方向弾性部材２７の幅方向収縮作用により、装着者の臀裂に入り込むように折れ曲がる屈曲フィット部４０を形成することを考えた。これにより、背側湾曲弾性部材２６を急角度に変化させなくとも、臀裂部幅方向弾性部材２７の幅方向に沿う配置により臀裂に対する屈曲フィット部４０を形成できるため、高速ラインにより安定して製造できるようになる。
【先行技術文献】
【特許文献】
【０００７】
【特許文献１】特開平７−２６５３５７号公報
【特許文献２】特開平７−２９９０９４号公報
【特許文献３】特開平１１−３６１０３号公報
【特許文献４】特開２００１−２５８９３１号公報
【特許文献５】特開２００１−２０４７６２号公報
【特許文献６】特開２００６−０４３４１５号公報
【特許文献７】特表２００７−１１３９７８号公報
【特許文献８】特開２００７−９７６２１号公報
【特許文献９】特開２００８−２５３２８９号公報
【特許文献１０】特開２００２−２０９９４２号公報
【特許文献１１】特開２００５−０８７６２２号公報
【発明の概要】
【発明が解決しようとする課題】
【０００８】
しかしながら、単に臀裂部幅方向弾性部材２７をレッグ開口部の縁部にまで設けると、図１３に示すように、後身頃Ｂにおけるレッグ開口の縁部が湾曲弾性部材２６，２８により脚周り方向に収縮するだけでなく、幅方向にも収縮する結果、当該縁部が硬くなり装着感を悪化させたり、当該縁部が外側に捲れることにより内装体の側部が露出して見栄えを悪化させたりするといった問題点があった。
【０００９】
そこで本発明の主たる課題は、臀裂部幅方向弾性伸縮部材により臀裂に対するフィット性を向上させつつ、後身頃におけるレッグ開口の縁部の幅方向収縮を防止することにある。
【課題を解決するための手段】
【００１０】
上記課題を解決した本発明は次のとおりである。
＜請求項１記載の発明＞
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口及び左右一対のレッグ開口が形成され、
前記後身頃の外装シートにおける臀裂対向部の幅方向両側の部分が、前記内装体に固定された内装体固定領域と、この内装体固定領域の側縁より側方に延出する側方延出部分とを有している、パンツタイプ使い捨ておむつにおいて、
前記臀裂対向部を横切って全体が幅方向に延在する細長状の臀裂部幅方向弾性部材が、前記外装シートに固定されており、
前記臀裂対向部は前記臀裂部幅方向弾性部材とともに幅方向に伸縮可能であり、
前記臀裂対向部の側方に隣接する部位が、前記臀裂部幅方向弾性部材が細かく切断された、収縮力が作用しない非収縮部分とされるとともに、この非収縮部分より側方全体が前記臀裂部幅方向弾性部材の非存在部分とされている、
ことを特徴とするパンツタイプ使い捨ておむつ。
【００１１】
（作用効果）
本発明では、臀裂部幅方向弾性部材を有する縦方向範囲では、臀裂対向部の側方に隣接する部位で臀裂部幅方向弾性部材が細かく切断されて、実質的に収縮しない非収縮部分が形成されているため、それらの間の臀裂対向部が臀裂部幅方向弾性部材の収縮作用により装着者の臀裂に入り込む立体形状の屈曲フィット部となるとともに、その幅方向両側の非収縮部分では内装体が不必要に収縮せずに尻べたにフィットする形状となる。そしてその側方では、臀裂部幅方向弾性部材による幅方向収縮力が作用しないため、レッグ開口の縁部が硬くなり装着感を悪化させたり、当該縁部が外側に捲れたりしなくなる。しかも、臀裂部幅方向弾性部材は、幅方向に沿って設けられるものであるため、低コストで製造できるだけでなく、高速ラインにより安定して製造できるという利点もある。
【００１２】
＜請求項２記載の発明＞
前記外装シートは、外側層と内側層とを貼り合わせてなり、
前記臀裂部幅方向弾性部材は、前記外側層と内側層との間に挟まれかつホットメルト接着剤により外側層及び内側層に固定されており、
前記臀裂部幅方向弾性部材の固定のためのホットメルト接着剤の塗布量は、前記臀裂部幅方向弾性部材の存在部分よりも前記臀裂部幅方向弾性部材の非存在部分の方が少ない、
請求項１記載のパンツタイプ使い捨ておむつ。
【００１３】
（作用効果）
このように、臀裂部幅方向弾性部材の固定のためのホットメルト接着剤の塗布量を、臀裂部幅方向弾性部材の存在部分よりも臀裂部幅方向弾性部材の非存在部分の方が少ない構成としても、臀裂部幅方向弾性部材が存在しないことにより強度が低下することがなく、むしろレッグ開口の縁部を柔軟なものとすることができる。さらに、後述する製造方法からも分かるように、臀裂部幅方向弾性部材を幅方向全体にわたり取り付けた後に、臀裂部幅方向弾性部材における非伸縮部分となる領域のみを細かく切断するだけで、臀裂部幅方向弾性部材における非収縮部分よりも側方の部分が、後にレッグ開口の打ち抜きにより切除される部分内に引き込まれ、自動的に臀裂部幅方向弾性部材の非存在部分が形成されるようになる。なお、ホットメルト接着剤の塗布量が少ないことには全く塗布しないことも含まれる。
【００１４】
＜請求項３記載の発明＞
後身頃の右のサイドシール部から後身頃の右のレッグ開口縁に沿って前側に向かいつつ左側に向かうように湾曲して後身頃の幅方向中央部に位置する臀裂対向部に至り、臀裂対向部において後側に折り返され、更に左側に向かいつつ後側に向かうように湾曲して後身頃の左のレッグ開口縁に沿って後身頃の左のサイドシール部に至る；細長状の背側湾曲弾性部材が、前記外装シートに固定されており、
前記外装シートにおける前記背側湾曲弾性部材を有する部分は、前記背側湾曲弾性部材とともに、前記背側湾曲弾性部材の長手方向に伸縮可能であり、
前記背側湾曲弾性部材も前記非収縮部分で細かく切断された部分を有しており、
前記背側湾曲弾性部材及び臀裂部幅方向弾性部材は間隔空けて複数本設けられるとともに、少なくとも一本の背側湾曲弾性部材が前記臀裂部幅方向弾性部材の非存在部を通り前記非収縮部分まで連続するように構成されている、請求項１又は２記載のパンツタイプ使い捨ておむつ。
【００１５】
（作用効果）
レッグ開口の縁部の幅方向収縮を低減するだけであれば、臀裂部幅方向弾性部材は幅方向全体にわたり設けつつ、臀裂部幅方向弾性部材の切断による非収縮部分をレッグ開口の縁部まで拡大するだけでも効果が無いわけではなく、むしろ製造は容易である。しかし、背側湾曲弾性部材を設けて股間部を後方へ引き上げる形態を採用する場合、背側湾曲弾性部材がレッグ開口の縁部を通り内装体固定部又はその近傍まで連続しているのが好ましく、この形態を採用しつつ、臀裂部幅方向弾性部材の切断による非収縮部分をレッグ開口の縁部まで拡大すると、製造の際に背側湾曲弾性部材までも切断してしまうことになり、本末転倒の結果となる。これに対して、上述のように、背側湾曲弾性部材が臀裂部幅方向弾性部材の非収縮部分ではなく非存在部を通り非収縮部分まで連続すると、より効果的に背側湾曲弾性部材により股間部を後方へ引き上げる構造となり、また、製造に際して背側湾曲弾性部材が切断されることもない。
【００１６】
＜請求項４記載の発明＞
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口及び左右一対のレッグ開口が形成され、
前記レッグ開口と対応する縦方向範囲では、外装シートにおける幅方向両側の部分が、前記内装体の側部と重なる側部重なり部分と、前記内装体の側縁より側方に延出する側方延出部分とを有しており、かつこの側方延出部分の側縁により前記レッグ開口の縁部が形成されており、
前記外装シートにおける前記レッグ開口と対応する縦方向範囲に、幅方向中間の所定部位を横切って幅方向に延在する細長状の幅方向弾性部材がその延在方向に所定の伸長率で伸長された状態で固定されており、
前記所定部位の側方に隣接する部位で前記幅方向弾性部材が細かく切断されて収縮力が作用しない非収縮部分が形成されるとともに、この非収縮部分より側方全体が前記幅方向弾性部材の非存在部分とされている、
パンツタイプ使い捨ておむつの製造方法において、
連続帯状の外側層及び連続帯状の内側層をその連続方向に沿って移送しつつ貼り合わせるとともに、これら外側層及び内側層間に移送方向に沿って前記幅方向弾性部材を前記伸長状態で挟むともに外側層及び内側層に対してホットメルト接着剤で固定することにより、前記外装シートとなる連続帯状体を形成する外装シート組立工程と、
この外装シートとなる連続帯状体において、前記移送方向に所定の間隔を空けて、前記レッグ開口となる部分を切除するレッグ開口切除工程と、
前記外装シート組立工程で、前記幅方向弾性部材の非存在部分となる領域及びレッグ開口となる部分の側部領域における、前記幅方向弾性部材を固定するためのホットメルト接着剤の塗布量を、他の領域よりも少なくし、
前記外装シート組立工程の後であって前記レッグ開口切除工程よりも前に、前記非収縮部分となる領域で前記幅方向弾性部材を細かく切断することにより、前記幅方向弾性部材の非存在部分となる領域及びレッグ開口となる部分の側部領域に位置する幅方向弾性部材を収縮させて前記レッグ開口となる部分に引き込ませ、
前記レッグ開口切除工程で、前記幅方向弾性部材を引き込んだレッグ開口となる部分を切除する、
ことを特徴とするパンツタイプ使い捨ておむつの製造方法。
【００１７】
（作用効果）
本発明によれば、接着剤の塗布量変更及び幅方向弾性部材の切断のみで、レッグ開口と対応する縦方向範囲に設けられる幅方向弾性伸縮部材がレッグ開口の縁部に存在しないパンツタイプ使い捨ておむつを製造することができる。
【００１８】
＜請求項５記載の発明＞
前記所定部位が臀裂対向部であり、前記幅方向弾性部材が前記臀裂対向部を横切って幅方向に延在する臀裂部幅方向弾性部材である、請求項４記載のパンツタイプ使い捨ておむつの製造方法。
【００１９】
（作用効果）
本項記載の発明によれば、請求項１に係るパンツタイプ使い捨ておむつと同様のものを接着剤の塗布量変更幅及び方向弾性部材の切断のみで製造することができる。
【発明の効果】
【００２０】
以上のとおり、本発明によれば、臀裂及びその幅方向両側におけるフィット性に優れ、後身頃におけるレッグ開口の縁部が捲れ難くなる、等の利点がもたらされる。
【図面の簡単な説明】
【００２１】
【図１】展開状態のパンツタイプ使い捨ておむつの平面図（内面側）である。
【図２】展開状態のパンツタイプ使い捨ておむつの平面図（外面側）である。
【図３】展開状態のパンツタイプ使い捨ておむつの要部平面図である。
【図４】図１のＣ−Ｃ断面図である。
【図５】図１のＡ−Ａ断面図である。
【図６】図１のＢ−Ｂ断面図である。
【図７】接着剤塗布パターンを示す平面図である。
【図８】弾性部材カットパターンを示す平面図である。
【図９】パンツタイプ使い捨ておむつの装着状態の斜視図である。
【図１０】パンツタイプ使い捨ておむつの装着状態の背面図である。
【図１１】図１のＤ−Ｄ断面図である。
【図１２】比較例の装着状態の背面図である。
【図１３】要部拡大平面図である。
【図１４】外装シート組立工程を概略的に示す正面図である。
【図１５】外装シート組立工程の変化を概略的に示す平面図である。
【図１６】非伸縮部分形成工程の変化を概略的に示す平面図である。
【図１７】レッグ開口切除工程の変化を概略的に示す平面図である。
【図１８】内装体貼り付け工程以降の変化を概略的に示す平面図である。
【図１９】比較例における非伸縮部分形成工程の変化を概略的に示す平面図である。
【図２０】比較例におけるレッグ開口切除工程の変化を概略的に示す平面図である。
【発明を実施するための形態】
【００２２】
以下、本発明の一実施形態について、添付図面を参照しつつ詳説する。なお、用語「伸長率」は自然長を１００％としたときの値を意味する。
図１〜図１１は実施形態のパンツタイプ使い捨ておむつ１を示している。このパンツタイプ使い捨ておむつ１（以下、単におむつともいう。）は、前身頃Ｆ及び後身頃Ｂを形成する外装シート２０と、この外装シート２０の内面に固定され一体化された内装体１０とを有しており、内装体１０は液透過性表面シート１１と液不透過性裏面側シート１２との間に吸収体１３が介在されてなるものである。製造に際しては、外装シート２０の内面（上面）に対して内装体１０の裏面がホットメルト接着剤Ｇなどの接合手段によって固定された後に、内装体１０および外装シート２０が前身頃Ｆ及び後身頃Ｂの境界である縦方向（前後方向）中央で折り畳まれ、その両側部が相互に熱溶着またはホットメルト接着剤などによって接合され、サイドシール部２１，２２が形成されることによって、ウエスト開口及び左右一対のレッグ開口が形成されたパンツタイプ使い捨ておむつとなる。
【００２３】
（外装シートの構造例）
外装シート２０は、図４〜図６にも示されるように、それぞれ不織布からなる内側層２０Ａ及び外側層２０Ｂがホットメルト接着剤により張り合わされてなる２層構造シートとされ、内側層２０Ａと外側層２０Ｂとの間、及び外側層２０Ｂをウエスト開口縁で内面側に折り返してなる折り返し部分２０Ｃの不織布間に各種弾性部材２４〜２８が伸長状態で挟持固定され、伸縮性が付与されている。平面形状は、中間両側部に夫々脚部開口を形成するために形成された凹状のレッグ開口縁２９により、全体として擬似砂時計形状をなしている。弾性部材２４〜２８としては、合成ゴムや天然ゴムを糸状、紐状、帯状等の細長状に形成したものを用いることができる。
【００２４】
特に、図示形態の外装シート２０においては、図１〜図３に示すように、前身頃Ｆ及び後身頃Ｂのそれぞれにおいて、ウエスト開口近傍２３に配置されたウエスト部弾性部材２４と、ウエスト部弾性部材２４よりも股間側に配置された、縦方向に間隔をおいて幅方向に沿って配置された複数の腰回り弾性部材２５と、腰回り弾性部材群２５とは別に、前身頃Ｆと後身頃Ｂとを接合する両サイドシール部２１，２２からレッグ開口縁２９に沿って幅方向中央に向かうにつれて反対の身頃側へ向かうように湾曲しつつ、内装体１０の両側部と重なる部位まで延在するとともに、互いに交差することなく間隔をおいて配置された複数本の湾曲弾性部材２６，２８とを備えている。なお、本外装シート２０では、湾曲弾性部材２６，２８により脚周りに対するフィット性が確保されるため、レッグ開口縁２９に沿って前身頃Ｆから後身頃Ｂまで実質的に連続する脚回り弾性部材は設けられていないが、湾曲弾性部材２６，２８とともに設けることも可能である。
【００２５】
ウエスト部弾性部材２４は、サイドシール部２１，２２を有する縦方向範囲のうち、ウエスト開口縁近傍に上下方向に間隔をおいて配設された複数条の糸ゴム状弾性部材であり、その延在方向（おむつの幅方向）に伸長状態で外装シートに固定されることにより、身体のウエスト部回りを締め付けるように伸縮力を与えることによりおむつのウエスト開口縁を身体に装着するためのものである。このウエスト部弾性部材２４は、図示例では糸ゴムを用いたが、例えばテープ状の伸縮部材を用いてもよい。また、図示形態のウエスト部弾性部材２４は、ウエスト部における外側層２０Ｂの折り返し部分２０Ｃの不織布間に挟持されているが、内側層２０Ａと外側層２０Ｂとの間に挟持しても良い。
【００２６】
腰回り弾性部材２５は、サイドシール部２１，２２と対応する縦方向範囲、及びそれよりも股間側の範囲のうち、概ね上部から下部までの範囲に亘り、上下方向に間隔をおいて幅方向に沿って配設された糸ゴム等の細長状弾性部材であり、その延在方向（おむつの幅方向）に伸長状態で外装シートに固定されることにより、前身頃Ｆ及び後身頃Ｂの腰回り部分に夫々幅方向の伸縮力を与え、おむつを身体に密着させるためのものである。なお、ウエスト部弾性部材２４と腰回り弾性部材２５との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材が腰回り弾性部材として機能していればよい。
【００２７】
後身頃Ｂにおいて、腰回り弾性部材２５とは別に配設された背側湾曲弾性部材２６は、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つおむつを展開した状態で内装体１０の両側部と重なる領域内に縦方向交差角θが６０°以下となる交差部分７０を有する所定の曲線に沿って配置されているものであり、その延在方向に伸長状態で外装シートに固定されている。背側湾曲弾性部材２６は、一本であっても良いが複数本であるのが好ましく、図示例では５本の糸ゴム状弾性部材であり、これら背側湾曲弾性部材２６は互いに交差することなく、間隔をおいて配置されている。この背側湾曲弾性部材群２６は、２，３本程度の弾性伸縮部材を間隔を密にして実質的に一束として配置されるのではなく、所定の伸縮ゾーンを形成するように所定の間隔を空けて複数本以上配置される。
【００２８】
前身頃Ｆにおいて、腰回り弾性部材群２５とは別に配設された腹側湾曲弾性部材２８は、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つおむつを展開した状態で内装体１０の両側部と重なる領域内に縦方向交差角θが６０°以下となる交差部分７０を有する所定の曲線に沿って配置されているものであり、その延在方向に伸長状態で外装シートに固定されている。腹側湾曲弾性部材２８は、一本であっても良いが複数本であるのが好ましく、図示例では５本の糸状弾性部材であり、これら腹側湾曲弾性部材２８は、互いに交差することなく、間隔をおいて配置されている。この腹側湾曲弾性部材群２８も、２、３本程度の弾性伸縮部材を間隔を密にして実質的に一束として配置されるのではなく、所定の伸縮ゾーンを形成するように所定の間隔を空けて複数本以上配置される。
【００２９】
湾曲弾性部材２６，２８は図示例のようにその全体が湾曲していなくても良く、部分的に直線状の部分を有していても良い。また、湾曲弾性部材２６，２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが股間部又はその前側若しくは後側近傍で交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間距離は１０〜２０ｍｍ程度とするのが好ましい。
【００３０】
他方、図示例では、前身頃Ｆ及び後身頃Ｂに配置された腰回り弾性部材２５及び湾曲弾性部材２６，２８は、内装体１０を横切る部分には設けられておらず、当該部分が非伸縮領域とされている。このように、弾性部材を有しない又は設けられていない形態には、弾性部材が存在しない形態の他、弾性部材は存在するが収縮力が作用しない程度に細かく切断させている形態も含まれる。図８は、後者の例を示しており、腰回り弾性部材２５及び湾曲弾性部材２６，２８を、一方側のサイドシール部２２から内装体１０を横切って他方（反対）側のサイドシール部２２まで連続的に設けた後に、所定の切断パターンＣＰにより内装体１０を横切る部分の一部又は全部を切断し、不連続とするものである。弾性部材２５，２６，２８を内装体１０と重なる部分で不連続とすることにより、内装体１０（特に吸収体１３）の幅方向の収縮を防止することができる。もちろん、腰回り弾性部材２５を、内装体１０を横切って連続的に配置することもできる。
【００３１】
上述した外装シート２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００３２】
（腰回り弾性部材及び湾曲弾性部材の位置関係）
腰回り弾性部材２５を有する縦方向範囲と湾曲弾性部材２６，２８を有する縦方向範囲３１とが一部（又は全部でも良い）重複しており、且つこの重複範囲３０内に腰回り弾性部材２５が複数本（例えば５〜１０本程度）含まれるとともに、そのうちの少なくとも一部の腰回り弾性部材２５の相互間隔ｄ１が他の腰回り弾性部材２５の相互間隔ｄ２よりも広くなっていると好ましい。また、重複範囲３０外においても、湾曲弾性部材２６，２８を有する縦方向範囲３１とウエスト部弾性部材２４を有する縦方向範囲との間の中間範囲３２に、腰回り弾性部材２５が複数本（例えば１０〜１６本程度）設けられていると好ましい。
【００３３】
このように、腰回り弾性部材２５を有する縦方向範囲と湾曲弾性部材２６，２８を有する縦方向範囲との重複範囲３０をある程度許容しつつ、その範囲内に腰回り弾性部材２５の相互間隔の広い部分を設けることによって、フィット性を損ねずに、弾性部材の密集を抑制することができる。その結果、上記重複範囲３０において外装シート２０にプリーツが密集せず、厚みの不必要な増加、弾性部材自体及びその接着による硬質化が抑制され、もって柔軟で快適な装着感が得られるようになる。
【００３４】
通常の場合、上述の腰回り弾性部材２５の相互間隔ｄ１は１０〜５０ｍｍ程度、他の腰回り弾性部材２５の相互間隔ｄ２は５〜２０ｍｍ程度とするのが好ましい。また、重複範囲３０の縦方向長さは展開状態でのおむつの全長の１５〜３０％程度であるのが好ましく、重複範囲３０に占める腰回り弾性部材２５の相互間隔の広い間隔部分３５の割合は縦方向長さの比（すなわち、間隔ｄ１の総和／重複範囲３０の縦方向長さ）で６０〜１００％程度であるのが好ましい。上記重複範囲３０が狭すぎると、腰回り弾性部材２５の間隔を広げる意義が薄くなり、広過ぎると腰回り弾性部材２５の間隔の広い部分３５が増加することによりフィット性が低下する。また、上記重複範囲３０内に占める腰回り弾性部材２５の相互間隔の広い部分３５の割合が少な過ぎると柔軟性の向上は見込めるものの顕著な向上は困難となる。
【００３５】
具体的に、図示例の場合、重複範囲３０に占める腰回り弾性部材２５の相互間隔ｄ１の広い部分３５の割合は、前身頃Ｆでは４０％程度、後身頃Ｂでは１００％となっている。このように、柔軟性向上に関する構成は、前身頃Ｆと後身頃Ｂとで異ならしめることができ、外装シート２０における前身頃Ｆ及び後身頃Ｂのいずれか一方にのみ適用することも可能である（以下同じ）。
【００３６】
（弾性部材の固定）
他方、ウエスト部弾性部材２４、腰回り弾性部材２５、臀裂部幅方向弾性部材２７及び湾曲弾性部材２６，２８は、外装シート２０を構成する一対のシート層２０Ａ，２０Ｂの間に挟まれるとともに、それらシート層２０Ａ，２０Ｂに対してホットメルト接着剤により接着固定されており、その接着剤塗布量は外装シート２０の柔軟性を大きく左右する。よって、図７に示すように、その接着剤の塗布部分Ｇ１〜Ｇ３は、ウエスト部弾性部材２４の配置部分及びその近傍、腰回り弾性部材２５の配置部分及びその近傍、臀裂部幅方向弾性部材２７の配置部分及びその近傍、湾曲弾性部材２６，２８の配置部分及びその縦横各所定距離ａ以内（通常の場合±２５ｍｍ以内、より好ましくは±１０ｍｍ以内、特に好ましくは±５ｍｍ以内）の領域のみとし、これらの接着剤以外には両シート層間に接着剤を塗布しないようにするのが好ましい。このように、接着剤塗布部分Ｇ１〜Ｇ３を可能な限り低減することにより、接着剤による硬質化を各段に抑制することができる。しかも、これと前述の腰回り弾性部材２５の局所的間隔増大とが組み合わさると、予想以上の柔軟性向上効果が得られる。
【００３７】
図７は、製造工程におけるホットメルト接着剤の塗布部位Ｇ１〜Ｇ３を示しており、湾曲弾性部材２６，２８は二点鎖線で示されるように内装体１０を横切る部分の切断前の状態を示している。ウエスト部弾性部材２４及び腰回り弾性部材２５を両シート層２０Ａ，２０Ｂに固定するための接着剤Ｇ１、臀裂部幅方向弾性部材２７を両シート層２０Ａ，２０Ｂに固定するための接着剤Ｇ２は、実質的に各弾性部材２４，２５の配置部位及びその近傍にのみ塗布されている。このような接着剤の塗布は、外周面に接着剤を塗布した弾性部材２４，２５を両シート層２０Ａ，２０Ｂで挟むことにより実現することができ、そのような弾性部材２４，２５の外周面への接着剤の塗布はノードソン社のシュアラップノズル等により行うことができる。
【００３８】
一方、湾曲弾性部材２６，２８を両シート層２０Ａ，２０Ｂに固定するための接着剤Ｇ３は、矩形の接着剤塗布部分Ｂ２が湾曲弾性部材２６，２８の湾曲方向に沿って階段状に並設されることにより、湾曲弾性部材２６，２８の長手方向全体にわたり、湾曲弾性部材２６，２８の配置部分及びその縦横各所定距離ａ以内の領域にのみ接着剤が塗布されている。このような接着剤の塗布は、塗布工程においてシート層２０Ａ，２０Ｂの横方向（おむつの幅方向）がラインＭＤ方向（流れ方向）に沿う通常の形態では、ラインＣＤ方向（ＭＤ方向と交差する方向）に複数のスロット塗布ノズルを並設し、各ノズルから独立的かつ間欠的に接着剤を塗布することにより行うことができる。また、図示例と異なり、湾曲弾性部材を有する縦方向範囲で幅方向全体にわたり湾曲弾性部材２６，２８を固定するためのホットメルト接着剤を塗布することもできる。
【００３９】
（屈曲フィット部）
図１３に詳細に示すように、外装シート２０は、後身頃Ｂの外装シート２０における臀裂対向部の幅方向両側の部分が、内装体１０に固定された内装体固定領域８３と、この内装体固定領域８３の側縁より側方に延出する側方延出部分４２とを有しており、背側湾曲弾性部材２６は、後身頃Ｂの右のレッグ開口縁２９に沿って前側に向かいつつ左側に向かうように湾曲して後身頃Ｂの幅方向中央部に位置する臀裂対向部に至り、臀裂対向部において後側に折り返され、更に左側に向かいつつ後側に向かうように湾曲して後身頃Ｂの左のレッグ開口縁２９に沿って後身頃Ｂの左のサイドシール部２１，２２に至るように固定されている。
【００４０】
また、臀裂対向部を横切って幅方向に延在する細長状の臀裂部幅方向弾性部材２７が、その延在方向に所定の伸長率で伸長された状態で外装シート２０に固定されている。臀裂部幅方向弾性部材２７の固定時の伸長率は適宜定めることができるが、通常の場合１８０〜３００％とするのが好ましい。
【００４１】
そして、臀裂対向部の側方に隣接する部位で背側湾曲弾性部材２６及び臀裂部幅方向弾性部材２７が細かく切断されて収縮力が作用しない非収縮部分４３が形成されるとともに、この非収縮部分４３より側方全体が臀裂部幅方向弾性部材２７の非存在部分４４とされている。
【００４２】
このように構成されたパンツタイプ使い捨ておむつ１においては、臀裂部幅方向弾性部材２７を有する縦方向範囲では、臀裂対向部の側方に隣接する部位で背側湾曲弾性部材２６及び臀裂部幅方向弾性部材２７が細かく切断されて、実質的に収縮しない非収縮部分４３が形成されているため、それらの間の臀裂対向部が、図１０及び図１１に示すように臀裂部幅方向弾性部材２７の収縮作用により装着者の臀裂に入り込む立体形状（おむつ内面が峰状に隆起）の屈曲フィット部４０となるとともに、その幅方向両側の非収縮部分４３では内装体１０が不必要に収縮せずに尻べたにフィットする形状となる。そしてその側方では、図１０及び図１３との対比からも分かるように、臀裂部幅方向弾性部材２７による幅方向収縮力が作用しないため、レッグ開口の縁部が硬くなり装着感を悪化させたり、当該縁部が外側に捲れたりしなくなる。しかも、臀裂部幅方向弾性部材２７は、幅方向に沿って設けられるものであるため、低コストで製造できるだけでなく、高速ラインにより安定して製造できるという利点もある。
【００４３】
なお、レッグ開口の縁部の幅方向収縮を低減するだけであれば、臀裂部幅方向弾性部材２７は幅方向全体にわたり設けつつ、臀裂部幅方向弾性部材２７の切断による非収縮部分４３をレッグ開口の縁部まで拡大するだけでも効果が無いわけではなく、むしろ製造は容易である。しかし、背側湾曲弾性部材２６により股間部を後方へ引き上げるには、背側湾曲弾性部材２６がレッグ開口の縁部を通り内装体１０固定部又はその近傍まで連続しているのが好ましく、この形態を採用しつつ、臀裂部幅方向弾性部材２７の切断による非収縮部分４３をレッグ開口の縁部まで拡大すると、製造の際に背側湾曲弾性部材２６までも切断してしまうことになり、本末転倒の結果となる。これに対して、図示例のように、背側湾曲弾性部材２６が臀裂部幅方向弾性部材２７の非収縮部分４３ではなく非存在部を通り非収縮部分４３まで連続すると、より効果的に背側湾曲弾性部材２６により股間部を後方へ引き上げる構造となり、また、製造に際して背側湾曲弾性部材２６が切断されることもない。
【００４４】
また、湾曲弾性部材２６，２８及び臀裂部幅方向弾性部材２７の固定のためのホットメルト接着剤の塗布量は、臀裂部幅方向弾性部材２７の存在部分４１と臀裂部幅方向弾性部材２７の非存在部分４４とで同じとしても良いが、臀裂部幅方向弾性部材２７の存在部分４１よりも臀裂部幅方向弾性部材２７の非存在部分４４の方が少ない構成としても、臀裂部幅方向弾性部材２７が存在しないことにより強度が低下することがなく、むしろレッグ開口の縁部を柔軟なものとすることができる。さらに、後述する製造方法からも分かるように、臀裂部幅方向弾性部材２７を幅方向全体にわたり取り付けた後に、臀裂部幅方向弾性部材２７における非伸縮部分となる領域のみを細かく切断するだけで、臀裂部幅方向弾性部材２７における非収縮部分４３よりも側方の部分が、後にレッグ開口の打ち抜きにより切除される部分内に引き込まれ、自動的に臀裂部幅方向弾性部材２７の非存在部分４４が形成されるようになる。なお、ホットメルト接着剤の塗布量が少ないことには全く塗布しないことも含まれる。また、この塗布量は、湾曲弾性部材２６，２８の固定のためのホットメルト接着剤と臀裂部幅方向弾性部材２７の固定のためのホットメルト接着剤とが重なる場合は両接接着剤の総塗布量を意味し、重ならない場合は臀裂部幅方向弾性部材２７の固定のためのホットメルト接着剤のみの塗布量を意味する。
【００４５】
各部の幅は適宜定めることができるが、通常の場合、臀裂対向部の幅は内装体１０の幅１０Ｘの０．１５〜０．４０倍程度、側方延出部分４２は内装体１０の幅１０Ｘの０．０５〜０．３５(片側のみ)倍程度、非収縮部分４３は内装体１０の幅１０Ｘの０．２５〜０．４０倍(片側のみ)程度とすることができる。
【００４６】
臀裂対向部の収縮力作用部分（背側湾曲弾性部材２６及び臀裂部幅方向弾性部材２７を切断せずに残した幅方向中央領域）は、前後方向に延びる長方形状や、前側に向かうにつれて幅が広がる形状（例えば、底辺が前側に位置する二等辺三角形状や、その二等辺が曲線のラッパ状）であっても良いが、臀裂対向部の前端部から前後方向中間までは後側に向かうにつれて幅が拡大し、それよりも更に後側では後側に向かうにつれて幅が縮小する形状を有していると、特に臀裂に対して好適にフィットする屈曲フィット部４０が形成されるため好ましい。
【００４７】
臀裂対向部の収縮力作用部分の寸法は適宜定めることができるが、幅は内装体１０よりも狭く、例えば内装体１０の幅１０Ｘの０．１５〜０．４０倍程度とするのが望ましく、前後方向長さは内装体１０の前後方向長さの１／５〜１／２程度とするのが望ましい。また、その前端は前後方向中央又はその近傍に位置しているのが好ましい。前述の切断パターンにおける非切断部分ＮＣは、収縮力作用部分と同じ形状で、同じ又は若干大きめの寸法となる。また、後述の吸収体１３に設ける溝１３Ｄ又はスリットの前後方向長さ及び幅は、この収縮力作用部分より短くても、長くても、同じでも良いが、幅については収縮力作用部分未満とするのが好ましい。
【００４８】
（内装体固定領域）
【００４９】
内装体１０は、図３及び図５に示すように、その裏面の適宜の領域８１〜８４にホットメルト接着剤Ｇを塗布し、外装シート２０の内面に固定することができるが、図示例のように、脚の動きに対する内装体１０の追従性を向上させる観点から、股間部における固定領域８１の幅を狭くする、例えば内装体１０の幅１０Ｘの３０〜４５％程度とするのが好ましく、股間部の前後両側の固定領域８２，８３は内装体１０をしっかりと固定するために幅を広くし、特に両側縁近傍まで延在させるのが好ましい。
【００５０】
このような形状の固定領域８１〜８４は、ホットメルト接着剤Ｇを幅方向に複数列並べて塗布するとともに、中間部については前後方向に連続的に、両側部については間欠的（股間部では塗布せず）に、それぞれ塗布することにより形成することができる。
【００５１】
ただし、股間部における固定領域８１の幅を狭くする際、その幅の狭い領域を過度に後方に延在させると次のような問題がある。すなわち、背側湾曲弾性部材２６により股間部を後方へ引き上げるには、背側湾曲弾性部材２６及び臀裂部幅方向弾性部材２７は間隔空けて複数本設けられるとともに、少なくとも一本の背側湾曲弾性部材２６が最も前側に位置する臀裂部幅方向弾性部材２７の前側に膨出するように配置されているのが好ましい。しかしその場合、外装シート２０における最も前側に位置する背側湾曲弾性部材２６の幅方向外側であってかつ最も前側に位置する臀裂部幅方向弾性部材２７の前側の領域８４が内装体１０に固定されていないと、当該領域８４においてレッグ開口の縁部が外側に捲れ易くなる。そこで、本実施形態では、股間部における接着幅の狭い領域８１を後側に過度に延在させず、後方の幅の広い固定領域８３を、外装シート２０における最も前側に位置する背側湾曲弾性部材２６の幅方向外側であってかつ最も前側に位置する臀裂部幅方向弾性部材２７の前側の領域８４まで延在させて、当該領域８４を内装体１０に固定し、捲れを防止するように構成している。
【００５２】
（縦方向の弾性変形時引張応力のバランス）
また、臀裂対向部のフィット性を良好にするためには、前身頃Ｆにおける縦方向の弾性変形時引張応力が、後身頃Ｂにおける縦方向の弾性変形時引張応力よりも大きくなる前後収縮力バランスとするのが好ましい。  図示例では、前身頃Ｆ及び後身頃Ｂにおいて股間部をウエスト側に持ち上げるように縦方向成分の収縮力を発揮する引上げ弾性部材として湾曲弾性部材２６，２８が設けられており、その前後収縮力バランスにより、前身頃Ｆにおける縦方向の弾性変形時引張応力が、後身頃Ｂにおける縦方向の弾性変形時引張応力よりも大きくなるように構成されている。弾性変形時引張応力は、おむつの両サイドシール部２１，２２を剥がして展開状態にした後、測定対象身頃のウエスト開口縁部と、測定対象でない反対の身頃の股間側端部とを引張試験機のチャックでそれぞれ掴み、引張試験を行うことにより計測することができる。弾性変形時引張応力の差は適宜定めることができるが、前身頃Ｆにおける８０％伸び時（弾性限界の伸び（ひずみ）を１００％としたとき）の縦方向の弾性変形時引張応力が、後身頃Ｂにおけるそれの１．１〜１．２倍程度であるのが好ましい。なお、このことからも分かるように、弾性変形時引張応力の大小は同じ伸び（弾性限界の伸びを１００％としたとき、伸びが６５〜９５％の範囲内とするのが好ましい）での大小を意味する。
【００５３】
このように前身頃Ｆ及び後身頃Ｂに引上げ弾性部材２６，２８を設けて、前身頃Ｆにおける縦方向の弾性変形時の引張応力を後身頃Ｂのそれよりも大きくすると、図１０及び図１１に示すように、装着状態においては、後身頃Ｂの引上げ弾性部材２６による収縮力に抗する前身頃Ｆの引上げ弾性部材２８による収縮力によって、おむつの股間部が前側に移動しつつ持ち上がって股間にフィットし、これに伴い屈曲フィット部４０の前端部が前側に引っ張られ、その結果として屈曲フィット部４０はその屈曲状態を維持したまま臀裂にフィットするようになる。よって、臀裂から股間にかけて良好にフィットするとともに、そのフィットが身体の動きに追従して弾力的に維持され、装着時に股間部がモコモコし難くなる。これに対して、従来の一般的なパンツタイプ使い捨ておむつでは、図１２に示すように、臀裂対向部が膨出して肌から大きく離間する結果、股間部がモコモコし、普通の下着と顕著に異なる違和感が発生する。
【００５４】
図示例では、引上げ弾性部材は湾曲弾性部材２６，２８のみで構成している。湾曲弾性部材２６，２８は、前身頃Ｆにおいては鼠蹊部に対するフィット性を向上させ、後身頃Ｂにおいては臀部の膨らみに対するフィット性を向上させる機能も有するものである。もちろん、湾曲弾性部材２６，２８に代えて又はこれとともに、細長状、シート状等の弾性部材を幅方向中間部に縦方向に沿って伸長状態で固定し、引き上げ弾性部材としても良い（図示略）。湾曲弾性部材２６，２８を他の種類の引き上げ弾性部材と組み合わせて用いる場合、図示例とは異なり、湾曲弾性部材２６，２８を、前身頃Ｆ及び後身頃Ｂのいずれか一方にのみ設け、他方に他の引き上げ弾性部材を設けるだけでも良い。
【００５５】
特に、図示例のような湾曲弾性部材２６，２８を設ける場合、内装体１０の側縁より幅方向外側の部位では、後身頃Ｂにおける湾曲弾性部材２６の縦方向間隔が、前身頃Ｆにおける湾曲弾性部材２８の縦方向間隔よりも広い配置となっていると、前身頃Ｆの湾曲弾性部材２８によって鼠蹊部に入り込むようなフィット性が発揮され、後身頃Ｂの湾曲弾性部材２６によって臀部の膨らみが包まれるようなフィット性が発揮されるだけでなく、屈曲フィット部４０がその屈曲状態を維持したまま臀裂にフィットする際、臀裂に対してきつく食い込むといった事態が発生し難くなるため好ましい。
【００５６】
前述の前後収縮力バランスは、各身頃Ｆ，Ｂにおける縦方向の弾性変形時引張応力の因子、例えば引上げ弾性部材２６，２８の太さ、伸長率、本数等の少なくとも一つを前後で異ならしめることにより実現できる。引上げ弾性部材２６，２８の太さ等を調整する場合、引上げ弾性部材２６，２８の本数は、おむつのサイズや配置に応じて定めるのが好ましいため、その配置及び本数を基本として、前述の前後収縮力バランスが得られるように、太さ及び伸長率の少なくとも一方を、後身頃Ｂよりも前身頃Ｆが太く又は高くなるようにするのが好ましい。
【００５７】
具体的に、図示例の場合には次の範囲内で各部の仕様を定めるのが好ましい。なお、弾性部材の太さの単位をｄｔｅｘに統一しているが、合成ゴムに限定するものではなく、天然ゴムを用いることもでき、天然ゴムを用いる場合の単位ｄｔｅｘとは、当該ｄｔｅｘの合成ゴムと同等のＳＳカーブを有する天然ゴムの太さ（例：ウエスト部弾性部材２４に天然ゴムを用いる場合は０．５ｍｍ〜３．０ｍｍ）を意味するものである。
・外装シート２０
素材：不織布
坪量：１５〜４５ｇ／ｍ2、特に１７〜２１ｇ／ｍ2
・前身頃Ｆ及び後身頃Ｂのウエスト部弾性部材２４
太さ：３１０〜１，２４０ｄｔｅｘ、特に９４０〜１，２４０ｄｔｅｘ
【００５８】
本数：５〜１０本、特に８〜１０本（各身頃）
間隔：０〜５ｍｍ、特に３〜５ｍｍ
固定時の伸長率：２００〜３５０％、特に２５０〜３００％
・前身頃Ｆの腰回り部弾性部材２５
太さ：３１０〜１，２４０ｄｔｅｘ、特に３１０〜６２０ｄｔｅｘ
本数：６〜２６本、特に８〜２０本
間隔：５〜４０ｍｍ、特に１５〜３５ｍｍ
固定時の伸長率：１８０〜３５０％、特に２５０〜３００％
・後身頃Ｂの腰回り部弾性部材２５
太さ：３１０〜１，２４０ｄｔｅｘ、特に３１０〜６２０ｄｔｅｘ
本数：６〜２４本、特に９〜２０本
間隔：５〜４０ｍｍ、特に１５〜３５ｍｍ
固定時の伸長率：２００〜３５０％、特に２５０〜３００％
・臀裂部幅方向弾性部材２７
太さ：３１０〜１，２４０ｄｔｅｘ、特に４７０〜６２０ｄｔｅｘ
本数：５〜２０本、特に９〜１０本
間隔：５〜２０ｍｍ、特に１０〜１６ｍｍ
固定時の伸長率：２００〜３５０％、特に２５０〜３３０％
・前身頃Ｆの湾曲弾性部材２８
太さ：３１０〜１，２４０ｄｔｅｘ、特に６２０〜９４０ｄｔｅｘ
本数：３〜１０本、特に５〜１０本
間隔：１０〜３５ｍｍ、特に１６〜３２ｍｍ
固定時の伸長率：２３０〜３８０％、特に２５０〜３００％で且つ後身頃Ｂの湾曲弾性部材２６より高い伸長率
・後身頃Ｂの湾曲弾性部材２６
太さ：３１０〜１，２４０ｄｔｅｘ、特に６２０〜９４０ｄｔｅｘ
本数：３〜１０本、特に５〜１０本
間隔：１０〜３５ｍｍ、特に１６〜３２ｍｍ
固定時の伸長率：２００〜３５０％、特に２５０〜３００％
（内装体の構造例）
内装体１０は、図４〜図６に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００５９】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００６０】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００６１】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００６２】
なお、上述の屈曲フィット部４０は、吸収体１３における臀裂対向部に縦方向に沿う溝１３Ｄやスリットを設ける等によってその形成を補助することもでき、その場合、適切な位置を折り目として屈曲フィット部４０が形成され、またその形状も維持され易くなる。
【００６３】
内装体１０の両側部には脚周りにフィットする立体ギャザーＢＳが形成されているのが好ましい。この立体ギャザーＢＳはギャザー不織布１５により形成される、ギャザー不織布としては、図５及び図６に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００６４】
二重シート不織布によって形成されたギャザー不織布１５の内部には、起立先端側部分に複数本の糸状弾性伸縮部材１６が配設されている。糸状弾性伸縮部材１６は、製品状態において図５に二点鎖線で示すように、弾性伸縮力により吸収体側縁部より突出する不織布部分を起立させて立体ギャザーＢＳを形成するためのものである。
【００６５】
液不透過性裏面側シート１２は、二重シート状のギャザー不織布１５の内部まで進入し、図５に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００６６】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、伸長率は１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００６７】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００６８】
（前後押えシート）
図１及び図４にも示されるように、外装シート２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００６９】
図示形態のように、前後押えシート５０，６０を別体として取り付けると、素材選択の自由度が高くなる利点があるものの、資材や製造工程が増加する等のデメリットもある。そのため、外装シート２０をおむつ１内面に折り返してなる折り返し部分２０Ｃを、吸収パッド２００と重なる部分まで延在させて、前述の押えシート５０，６０と同等の部分を形成することもできる。
【００７０】
（パンツタイプ使い捨ておむつの製造方法）
上述の非収縮部分４３より側方全体が前記臀裂部幅方向弾性部材２７の非存在部分４４とされたパンツタイプ使い捨ておむつ１は、外装シート組立工程、弾性部材切断工程、レッグ開口切除工程、内装体貼り付け工程、並びにサイドシール及び個別化工程を含む公知の製法において、次のように、接着剤の塗布量変更及び特定の弾性部材の切断パターンを採用することで製造することができる。
【００７１】
すなわち、図１４は外装シート組立工程及び弾性部材切断工程を示しており、図１５は外装シート組立工程における状態変化を示している。外装シート組立工程では上側に連続帯状の内側層２０Ａが供給されるとともに、下側に連続帯状の外側層２０Ｂが供給され、かつこれら内側層２０Ａ及び外側層２０Ｂに対して、各弾性部材（ウエスト部弾性部材２４、腰回り弾性部材２５、湾曲弾性部材２６，２８、臀裂部幅方向弾性部材２７）が供給され、ニップローラー部５０において圧着されることにより外装シート２０が連続的に組み立てられる。ウエスト部弾性部材２４、腰回り弾性部材２５、及び臀裂部幅方向弾性部材２７は、移送方向（ＭＤ方向）に沿って直線的に導入され、コームガンやシュアラップノズル等の周面塗布装置５１により弾性部材の周面にホットメルト接着剤Ｇ１，Ｇ２が塗布された後にニップローラー部５０に供給され、内側層２０Ａと外側層２０Ｂとの間に挟まれて固定される。一方、湾曲弾性部材２６，２８は、公知のトラバース装置５２により移送方向と直交する横断方向（ＣＤ方向）に揺動しつつニップローラー部５０に導入される。トラバース装置５２は、先端部分に湾曲弾性部材２６，２８のガイド通路を有し、連続ウエブ（シート２０Ａ、２０Ｂ）の横断方向への揺動を所定の速度で行うことにより、湾曲弾性部材２６，２８を所定の湾曲形状に配置するようにしたものである。湾曲弾性部材の固定のためのホットメルト接着剤Ｇ３は、予め内側層２０Ａ、外側層２０Ｂの内の少なくとも一方側、図示例では外側層２０Ｂに対して、上下方向に間隔をおき水平方向に沿って複数条の列を成すようにコーター５３によってビード塗布されており、湾曲弾性部材２６，２８はニップローラー部５０においてこの外側層２０Ｂに塗布されたホットメルト接着剤によって固定される。
【００７２】
なお、各工程の状態を示す図１５〜図２０には、湾曲弾性部材２６，２８、及び臀裂部幅方向弾性部材２７のみを示し、他の弾性部材は図示を省略している。
【００７３】
特徴的には、外装シート２０組立工程において、図１５（ｂ）に示すように臀裂部幅方向弾性部材２７に対するホットメルト接着剤Ｇ２の塗布が所定の間隔で変化され、移送方向に連続供給される臀裂部幅方向弾性部材２７のうち、前述の幅方向弾性部材の非存在部分４４（レッグ開口の縁部）となる領域Ａ１、及びレッグ開口となる部分ＬＰ（後にレッグ開口切除工程で切除される部分）の側部領域Ａ２（移送方向両側の領域）に配置される部分にはホットメルト接着剤Ｇ２が塗布されない（間欠塗布とされる）か、又は他の部位よりも少なく（臀裂部幅方向弾性部材２７がその収縮力により固定が外れる程度）される。これ以外、すなわち臀裂部幅方向弾性部材２７の存在部分４１となる領域Ａ３、及びレッグ開口となる部分ＬＰの側部領域Ａ２間に位置する中間領域Ａ４では、臀裂部幅方向弾性部材２７がしっかりと内側層２０Ａ及び外側層２０Ｂに固定される塗布量でホットメルト接着剤Ｇ２が塗布される。
【００７４】
しかる後、各弾性部材２４〜２８が固定された連続帯状体２０´は、図１６に示すように、前述の非収縮部分４３（臀裂対向部の側方に隣接する部位）となる領域を含む所定の切断パターンＣＰで弾性部材２５〜２８が細かく切断されて収縮力が殺される。より詳細には、各弾性部材２４〜２８が固定された連続帯状体２０´は、周面に切断用の凸部が所定の切断パターンＣＰで配列されたエンボスロール５４と、このエンボスロール５４と対向する対向ロール５５との間に通され、弾性部材２５〜２８がエンボスロール５４の凸部および対向ロール５５間での加圧および加熱の少なくとも一方により切断される。
【００７５】
この際、臀裂部幅方向弾性部材２７は、前述の非存在部分４４となる領域Ａ１及びレッグ開口となる部分ＬＰの側部領域Ａ２では、ホットメルト接着剤Ｇ２，Ｇ３による固定がされていないか又は不十分となっており、レッグ開口となる部分ＬＰの側部領域Ａ２間に位置する中間領域Ａ４ではホットメルト接着剤Ｇ２，Ｇ３によりしっかりと固定されているため、切断により非固定（又は固定不十分）側の張力が開放されると、収縮により内側層２０Ａ及び外側層２０Ｂに対して移動し、レッグ開口となる部分ＬＰ側に引き込まれる。その結果、レッグ開口の縁部となる部分には臀裂部幅方向弾性部材２７の非存在部分４４が形成される。なお、このような引き込みのためには、臀裂部幅方向弾性部材２７の非存在部分４４となる領域の幅（移送方向長さ）をＸ1、レッグ開口となる部分ＬＰの側部領域の幅をＸ2、臀裂部幅方向弾性部材２７の固定時の伸長率をＴとしたとき、
Ｘ1  ≧  １００・Ｘ2／（Ｔ−１００）
の関係を満たすように構成することが望ましい。
【００７６】
これに対して、図１９（ａ）に示すように、臀裂部幅方向弾性部材２７に対するホットメルト接着剤Ｇ２の塗布を一定として、臀裂部幅方向弾性部材２７の全体を内側層２０Ａ及び外側層２０Ｂにしっかりと固定すると、図１９（ｂ）に示す弾性部材切断工程後の状態及び図２０に示すレッグ開口切断後の状態からも分かるように、臀裂部幅方向弾性部材２７の引き込みは無く、レッグ開口の縁部に臀裂部幅方向弾性部材２７が存在することとなる。
【００７７】
以降は、公知の製造方法に従って、図１７に示すように、外装シート２０となる連続帯状体２０´に対して、移送方向に所定の間隔を空けて、レッグ開口となる部分ＬＰを切除するレッグ開口切除工程、図１８（ａ）に示すように、外装シート２０となる連続帯状体２０´上に、移送方向に所定の間隔を空けて、別途製造した内装体１０を貼り付ける内装体貼り付け工程、及び図１８（ｂ）に示すように、内装体１０を貼り付けた連続帯状体を、移送方向と直交する横断方向に二つ折りし、移送方向に所定の間隔を空けてサイドシール部２１，２２を形成するとともに、個々のおむつに切断するサイドシール・切断工程を経て、パンツタイプ使い捨ておむつ１を製造することができる。なお、レッグ開口となる部分ＬＰに引き込まれた臀裂部幅方向弾性部材２７の切れ端は、レッグ開口切除工程で切除される切除片２０Ｃ内に取り込まれたまま廃棄される。
【００７８】
他方、上記製造方法例では、臀裂部幅方向弾性部材２７のみレッグ開口側に引き込ませるようにしたが、外装シート２０におけるレッグ開口と対応する縦方向範囲において幅方向に延在される細長状の幅方向弾性部材であれば、臀裂部以外の部位に設けられるものであっても、同様にレッグ開口に引き込ませてレッグ開口の縁部には存在させないようにすることができる。
【産業上の利用可能性】
【００７９】
本発明は、上記例のようなパンツタイプ使い捨ておむつ及びその製造に利用できるものである。
【符号の説明】
【００８０】
１…パンツタイプ使い捨ておむつ、１０…内装体、１１…液透過性表面シート、１２…液不透過性裏面側シート、１３…吸収体、１４…包装シート、１５…ギャザー不織布、１６…糸状弾性伸縮部材、２０…外装シート、２１，２２…サイドシール部、２４…ウエスト部弾性部材、２５…腰回り弾性部材、２６…背側湾曲弾性部材、２７…臀裂部幅方向弾性部材、２８…腹側湾曲弾性部材、２６，２８…湾曲弾性部材、２９…レッグ開口縁、２０Ｃ…外装シート折り返し部、８１〜８４…内装体固定領域、４０…屈曲フィット部、４１…存在部分、４２…側方延出部分、４３…非収縮部分、４４…非存在部分、Ｆ…前身頃、Ｂ…後身頃、２０Ａ…内側層、２０Ｂ…外側層、ＬＰ…レッグ開口となる部分。
【図１】
0006008383.tif 000002
【図２】
0006008383.tif 000003
【図３】
0006008383.tif 000004
【図４】
0006008383.tif 000005
【図５】
0006008383.tif 000006
【図６】
0006008383.tif 000007
【図７】
0006008383.tif 000008
【図８】
0006008383.tif 000009
【図９】
0006008383.tif 000010
【図１０】
0006008383.tif 000011
【図１１】
0006008383.tif 000012
【図１２】
0006008383.tif 000013
【図１３】
0006008383.tif 000014
【図１４】
0006008383.tif 000015
【図１５】
0006008383.tif 000016
【図１６】
0006008383.tif 000017
【図１７】
0006008383.tif 000018
【図１８】
0006008383.tif 000019
【図１９】
0006008383.tif 000020
【図２０】
0006008383.tif 000021